(57)【特許請求の範囲】
【請求項１】
ランプであって、
第１側及び第２側を有する源板と、
複数の光源にして、該複数の光源の第１セットが白色光を発生させかつ源板の第１側に取り付けられ、該複数の光源の第２セットが着色光を発生させかつ源板の第２側に取り付けられる複数の光源と、
複数の光源の第１セットをカプセル化し、かつ複数の光源の第１セットが発生させる前記白色光の向きを変えるレンズと、
ディフューザ板及びドライバ絶縁体にして、ディフューザ板及びドライバ絶縁体各々が源板の第２側と接触し、ディフューザ板、ドライバ絶縁体、及び源板の第２側がその中に複数の光源の第２セットが配置されるライトボックス領域を形成し、ドライバ絶縁体が反射板として機能し、ディフューザ板が、複数の光源の第２セットが発生させる前記着色光がディフューザ板を通じてライトボックス領域から分散されるようにディフューザとして機能するディフューザ板及びドライバ絶縁体とを備えるランプ。
【請求項２】
前記複数の光源は複数のＬＥＤから成る請求項１のランプ。
【請求項３】
前記複数の光源の第１セットは、白色光を発生させるＬＥＤのセットから成り、前記複数の光源の第２セットは、着色光を発生させるＬＥＤのセットから成る請求項２のランプ。
【請求項４】
スイッチ機構を更に備え、該スイッチ機構は、電力が、複数の光源の第１セットのみに対して、複数の光源の第２セットのみに対して、及び、複数の光源に対して供給されることを可能にする請求項１のランプ。
【請求項５】
前記レンズは、コリメーティング光学部品と、ディフューザとを含む請求項１のランプ。
【請求項６】
前記ディフューザ板と、前記レンズのディフューザは同じ材料から成る請求項５のランプ。
【請求項７】
ドライバ電子回路を備え、該ドライバ電子回路は、複数の光源の第１セット及び複数の光源の第２セットを駆動する請求項１のランプ。
【請求項８】
前記ドライバ絶縁体は、前記ドライバ電子回路を包囲する請求項７のランプ。
【請求項９】
前記複数の光源の第１セットは、第１方向に向けられ、複数の光源の第２セットは第２方向に向けられる請求項１のランプ。
【請求項１０】
前記第２方向は第１方向とは１８０度異なる請求項９のランプ。
【請求項１１】
前記複数の光源の第２セットは前記第２方向からオフセットされた鋭角にて向けられる請求項１０のランプ。
【請求項１２】
前記ディフューザ板の外側面はドーム形状であり、該ランプの外側壁として機能する請求項１のランプ。
【請求項１３】
前記源板はプリント配線基板である請求項１のランプ。
【請求項１４】
前記複数の光源及びプリント配線基板を包囲するヒートシンクを備え、該ヒートシンク及びプリント配線基板は、複数の光源の第２セットが発生させた着色光が、複数の光源の第１セットが発生させた白色光と混合することを防ぐ請求項１３のランプ。
【請求項１５】
前記複数の光源の第２セットは、第１色の光を発生させる第１群と、第２色の光を発生させる第２群とを含み、該ランプは、前記ライトボックス領域が第１領域と第２領域に分けられるように、ライトボックス領域内のドライバ絶縁体とディフューザ板との間に配置される仕切りを更に備え、前記第１領域は、前記第１群が発生させた第１色の光を分散し、前記第２領域は、前記第２群が発生させた第２色の光を分散する請求項１のランプ。
【請求項１６】
後付けランプであって、
ランプソケットに接続可能なベースと、
第１側及び第２側を有する源板と、
複数のＬＥＤベースの光源にして、該複数のＬＥＤベースの光源の第１セットが白色光を発生させかつ源板の第１側に取り付けられ、該複数のＬＥＤベースの光源の第２セットが着色光を発生させかつ源板の第２側に取り付けられる複数のＬＥＤベースの光源と、
前記ベース及び源板に電気的に接続される、複数のＬＥＤベースの光源を駆動するドライバ電子回路と、
ドライバ電子回路を包囲し、前記ベースから源板へと延び、かつ源板の第２側と接触するドライバ絶縁体と、
前記複数のＬＥＤベースの光源の第１セットをカプセル化し、かつ複数のＬＥＤベースの光源の第１セットが発生させた白色光の向きを変えるレンズと、
源板の第２側と接触するディフューザ板にして、該ディフューザ板、ドライバ絶縁体、及び複数の光源の第２セットがその中に複数の光源の第２セットが配置されるライトボックス領域を形成し、ドライバ絶縁体が反射板として機能し、ディフューザ板が、複数の光源の第２セットが発生させる前記着色光がディフューザ板を通じてライトボックス領域から分散されるようにディフューザとして機能するディフューザ板と、
ディフューザ板を前記ベースに連結する止め輪と、
レンズをディフューザ板に連結するヒートシンクとを備える後付けランプ。
【発明の詳細な説明】
【技術分野】
【０００１】
本発明はランプに関し、更に詳しくは、複数の光源を組み込んだランプに関する。
【背景技術】
【０００２】
典型的なＬＥＤランプは、標準的な白熱灯よりも高いエネルギー効率及び長い寿命を提供する。典型的なＬＥＤランプは、それに水銀が用いられていないため、標準的な小型蛍光灯よりも環境に優しい。ＬＥＤ技術の改良により、ＬＥＤ、特に白色光を発生させるＬＥＤが発生させるルーメン量は、時間が経つにつれ急速に向上し、より多くのＬＥＤランプを市場にもたらした。過去の照明技術に対するこれらの利点、及び、白色光の発生の他に、複数の色で光りを発生させるそれらの機能により、ＬＥＤランプは、照明技術の未来として広く理解されている。
【発明の概要】
【課題を解決するための手段】
【０００３】
本発明の実施形態は、ランプであって、該ランプの様相（出現する光の様相、外観）を変更、区別するため、主照明として白色光を発生させると共に、該白色光とは別個の少なくとも一つの着色光をも発生させるランプを提供する。
【０００４】
第１実施形態において、ランプが提供される。該ランプは、第１側及び第２側を有する源板と、複数の光源とを含む。複数の光源の第１セットは白色光を発生させ、かつ源板の第１側に取り付けられる。複数の光源の第２セットは着色光を発生させ、かつ源板の第２側に取り付けられる。該ランプはまた、複数の光源の第１セットをカプセル化し、かつ複数の光源の第１セットが発生させる前記白色光の向きを変えるレンズを含む。該ランプはまた、ディフューザ板及びドライバ絶縁体を含む。ディフューザ板及びドライバ絶縁体各々は、源板の第２側と接触する。ディフューザ板、ドライバ絶縁体、及び源板の第２側は、ライトボックス領域を形成し、その中に複数の光源の第２セットが配置される。ドライバ絶縁体は反射板として機能し（すなわち、ドライバ絶縁体の表面は、拡散反射性を有する）、ディフューザ板は、複数の光源の第２セットが発生させる前記着色光がディフューザ板を通じてライトボックス領域から分散されるようにディフューザとして機能する。
【０００５】
関連する実施形態において、複数の光源は複数のＬＥＤであり得る。更なる関連する実施形態において、前記複数の光源の第１セットは、白色光を発生させるＬＥＤのセットであり得、また、前記複数の光源の第２セットは、着色光を発生させるＬＥＤのセットであり得る。
【０００６】
別の関連する実施形態において、該ランプはスイッチ機構を含み得る。該スイッチ機構は、電力が、複数の光源の第１セットのみに対して、複数の光源の第２セットのみに対して、及び、複数の光源に対して供給されることを可能にする。更なる関連する実施形態において、前記レンズは、コリメーティング光学部品と、ディフューザとを含み得る。更なる関連する実施形態において、前記ディフューザ板と前記レンズのディフューザとは同じ材料から成り得る。
【０００７】
更に別の関連する実施形態において、該ランプは、ドライバ電子回路を備え、該ドライバ電子回路は、複数の光源の第１セット及び複数の光源の第２セットを駆動する。更なる関連する実施形態において、前記ドライバ絶縁体は前記ドライバ電子回路を包囲する。
【０００８】
更に別の関連する実施形態において、前記複数の光源の第１セットは第１方向に向けられ得、また、複数の光源の第２セットは第２方向に向けられ得る。更なる関連する実施形態において、前記第２方向は第１方向とは１８０度異なり得る。別の更なる関連する実施形態において、前記複数の光源の第２セットは前記第２方向からオフセットされた鋭角にて向けられ得る。
【０００９】
更に別の関連する実施形態において、前記ディフューザ板の外側面はドーム形状であり得、該ランプの外側壁として機能し得る。更に別の関連する実施形態において、前記源板はプリント配線基板であり得る。更に関連する実施形態において、該ランプは、前記複数の光源及びプリント配線基板を包囲するヒートシンクを含み得る。該ヒートシンク及びプリント配線基板は、複数の光源の第２セットが発生させた着色光が、複数の光源の第１セットが発生させた白色光と混合することを防ぐ。
【００１０】
更に関連した実施形態において、前記複数の光源の第２セットは、第１色の光を発生させる第１群と、第２色の光を発生させる第２群とを含み得る。該ランプは、前記ライトボックス領域が第１領域と第２領域に分けられるように、ライトボックス領域内のドライバ絶縁体とディフューザ板との間に配置される仕切りを更に含み得る。前記第１領域は、前記第１群が発生させた第１色の光を分散し、前記第２領域は、前記第２群が発生させた第２色の光を分散する。
【００１１】
別の実施形態において、後付けランプが提供される。該後付けランプは、ランプソケットに接続可能なベースと、第１側及び第２側を有する源板と、複数のＬＥＤベースの光源にして、該複数のＬＥＤベースの光源の第１セットが白色光を発生させかつ源板の第１側に取り付けられ、該複数のＬＥＤベースの光源の第２セットが着色光を発生させかつ源板の第２側に取り付けられる複数のＬＥＤベースの光源と、前記ベース及び源板に電気的に接続される、複数のＬＥＤベースの光源を駆動するドライバ電子回路と、ドライバ電子回路を包囲し、前記ベースから源板へと延び、かつ源板の第２側と接触するドライバ絶縁体と、前記複数のＬＥＤベースの光源の第１セットをカプセル化し、かつ複数のＬＥＤベースの光源の第１セットが発生させた白色光の向きを変えるレンズと、源板の第２側と接触するディフューザ板にして、該ディフューザ板、ドライバ絶縁体、及び複数の光源の第２セットがその中に複数の光源の第２セットが配置されるライトボックス領域を形成し、ドライバ絶縁体が反射板として機能し、ディフューザ板が、複数の光源の第２セットが発生させる前記着色光がディフューザ板を通じてライトボックス領域から分散されるようにディフューザとして機能するディフューザ板と、ディフューザ板を前記ベースに連結する止め輪と、レンズをディフューザ板に連結するヒートシンクとを備える。
【００１２】
上述した及び他の目的、特徴及び利点は、異なる図面にわたって同様の参照文字が同じ部分を指す付随図面に例示される、ここに開示した特定の実施形態の以下の記述から明らかとなろう。該図面は、配列され開示した原理を例示する代わりに、スケール変更、強調することを必ずしも要しない。
【図面の簡単な説明】
【００１３】
【図１】図１は、ここに開示した実施形態に従う、主照明とは区別される様相を有するランプを示す。
【図２】図２は、ここに開示した実施形態に従う、主照明とは区別される様相を有するランプの構成要素を例示する。
【発明を実施するための形態】
【００１４】
図１は、ここに記述した実施形態に従うランプ１００を示す。ランプに電力が供給されると、第１の光がランプ１００の底部１０２から分散される。この第１の光は、いくつかの実施形態において、白色光又は実質的に白色の光であるが、もちろん、他の実施形態において、非白色（すなわち着色した）光であり得る。同時に、第２の光がランプ１００の側部１０４から分散される。この第２の光は、いくつかの実施形態において、特定の色の光（例えば、黄、緑、赤、青、オレンジ、紫等）であるが、もちろん、他の実施形態において、白色光又は実施的に白色の光であり得る。第２の光は、第１の光と異なる場合、ランプ１００をその主照明（すなわち、ランプ１００の底部１０２から分散される第１の光）を区別する。これは、審美的な要素をランプ１００に与え、例えば、第２の光の任意の数の望ましい色を作り出すように調整され得る。
【００１５】
ランプ１００の実施形態は、図２により詳細に示され、図２は、ランプ１００の種々の構成要素を例示する。ランプ１００は、ランプ１００がソケットに挿入されることを可能にするベース２０２を含む。ベース２０２は、既知のランプベースのどのようなタイプであってもよく、図２に示すねじ式ベースを含むが、これに限定されない。ランプ１００はまた、第１側２７０と第２側２７２を有する源板２１２を含む。源板２１２は、ランプ１００内に適合するようなどのような形状でもよい。そのため、いくつかの実施形態において、源板２１２は、まっすぐなもしくは実質的にまっすぐな平面形状（すなわち、第１側２７０及び第２側２７２が平坦もしくは実質的に平坦であるような）を有し得、他の実施形態において、源板２１２は、非平坦もしくは実施的に非平坦な形状（すなわち、第１側２７０及び第２側２７２が曲がっているもしくは実質的に曲がっているように）を有し得る。いくつかの実施形態において、源板２１２は、プリント配線基板であり得る。源板２１２には複数の光源２１４が取り付けられる。該複数の光源２１４は、どのようなタイプの光源でもよく、いくつかの実施形態において、ＬＥＤベースの光源、例えばＬＥＤ、ＯＬＥＤその他であるが、これらに限定されない。複数の光源は、複数セットに分けられ得る。いくつかの実施形態において、複数の光源２１４は、第１セット２８０と第２セット２８２に分けられる。第１セット２８０及び第２セット２８２各々は、他方のセットが発生させる少なくとも一つの光とは異なる少なくとも一つの光（すなわち、白色、実質的に白色、非白色、有色等）を発生させる。従って、いくつかの実施形態において、複数の光源２１４の第１セット２８０は、白色光又は実質的に白色の光を発生させる。複数の光源２１４の第２セット２８２は、着色光（すなわち特定色の光）を発生させる。そのため、複数の光源２１４が複数のＬＥＤである場合の実施形態において、第１セット２８０は、白色光を発生させるＬＥＤのセットであり、第２セット２８２は、着色光を発生させるＬＥＤのセットである。いくつかの実施形態において、第２セット２８２は、異なる時間に異なる着色光を発生させることができる（例えば、最初に赤、次にオレンジ、次に黄、次に赤、該サイクルを繰り返す）。代替的に、又は付加的に、第２セット２８２は、異なる着色光を同時に発生させることができる（例えば、同時に赤、黄及び緑の光すべてを）。更に、いくつかの実施形態において、第１セット２８０及び第２セット２８２のいずれか又は各々は、白色光（及び／又は実質的に白色の光）及び着色光（一つ又は複数の色）を発生させることができる。どのような光がそれらにより生じても、複数の光源２１４の第１セット２８０は、源板２１２の第１側２７０に取り付けられ、複数の光源２１４の第２セット２８２は源板２１２の第２側２７２に取り付けられる。
【００１６】
ランプ１００はまた、ディフューザ板２０６を含む。ディフューザ板２０６は、いくつかの実施形態において、ボリュームディフューザ、例えば、限定はしないが散乱粒子含有板等、サーフェースディフューザ、及び／又は艶消しガラス板を含む。ディフューザ板２０６は、どのような形状であってもよく、平面形状及び非平面形状の両方を含む。ディフューザ板２０６がどのような形状であっても、ディフューザ板２０６は内部領域を有する。図２に示すランプ１００の構成要素が組み立てられた場合、ディフューザ板２０６は、源板２１２の第２側２７２と接触する。源板２１２の第２側２７２は、次いで、ディフューザ板２０６によって作り出される領域を閉鎖する。すなわち、ディフューザ板２０６と、源板２１２の第２側２７２と、ドライバ（駆動）絶縁体２０８とは、ディフューザ板２０６の内部領域からのある領域を定義する。この定義された領域は、ライトボックス領域２４０として知られている。複数の光源２１４の第２セット２８２は、ライトボックス領域２４０内に位置付けられる。そのため、ディフューザ板２０６は、複数の光源２１４の第２セット２８２にのみ影響を与え、複数の光源２１４の第１セット２８０に影響を与えない。いくつかの実施形態において、ライトボックス領域２４０の幅は、そこに収容される複数の光源２１４の第２セット２８２の一つの幅とせいぜい同じ大きさであり得る。第２セット２８２がＬＥＤから成る場合、上記幅は、ＬＥＤの一つの幅とせいぜい同じ大きさである。ドライバ絶縁体２０８は、複数の光源２１４の第２セット２８２が発生させた光に対する反射板としての役割を果たす。同時に、ディフューザ板２０６は、複数の光源２１４の第２セット２８２が発生させた光に対するディフューザ（散光器）としての役割を果たす。これは、複数の光源２１４の第２セット２８２が生じさせた光（いくつかの実施形態において、特定の色の着色光）を、ライトボックス領域２４０からディフューザ板２０６を通って分散させる。すなわち、複数の光源２１４の第２セット２８２により生じた光は、源板２１２から離れる方に向けられ、ドライバ絶縁体２０８に反射し、更に、ディフューザ板２０６によりディフューザ板２０６を通って拡散（すなわち分散）される。源板２１２は、複数の光源２１４の第２セット２８２により生じた光が複数の光源２１４の第１セット２８０により生じた光と混合しないようにする。
【００１７】
上述したように、ディフューザ板２０６はどのような形状にも形成され得、いくつかの実施形態において、図２に見られるようなドーム形状もしくはドーム状の形状を有する。代替的に、又は付加的に、いくつかの実施形態において、ディフューザ板２０６の外側面２４２の形状は、ドライバ絶縁体２０８の形状と同じかもしくは実質的に同様の第１の形状（例えば、図２に示すドーム形状）に形成され得る。代替的に、又は付加的に、いくつかの実施形態において、ディフューザ板２０６の外側面２４２の形状は、ドライバ絶縁体２０８の形状と同じであり得る。ディフューザ板２０６は、光を拡散することができるどのような材料からも形成され得る。該材料は、例えば、ガラス（澄んだ又は艶消し）、澄んだ（すなわち、透明なもしくは実質的に透明な）又は艶消しプラスチック等であるが、これらに限定されない。いくつかの実施形態において、ディフューザ板２０６は、ディフューザとして機能する単一の材料から形成されるが、他の実施形態において、ディフューザ板２０６は、協力してディフューザとして機能するある数の材料から形成される。ベース２０２に取り付けられるディフューザ板２０６の部分は、この取り付けを可能とする態様の形状とされる。例えば、ディフューザ板２０６は、ベース２０２上に見られる溝と整合する溝を含む形状とされ得、これは、ベース２０２がディフューザ板２０６にねじ込まれることを可能にする。代替的に、又はいくつかの実施形態において付加的に、ディフューザ板２０６は、止め輪２０４に取り付けられる形状とされ得る。止め輪２０４は、ディフューザ板２０６とベース２０２との間の機械的接続部としての役割を果たす。もちろん、ディフューザ板２０６及びベース２０２は、いかなる既知の態様でも取り付けられ得、例えば、限定はしないが、機械的取り付け、及び／又は、任意の一つ又は複数の接着剤の使用、及び／又は、これらの組合せによる。
【００１８】
いくつかの実施形態において、ランプ１００は、第２セット２８２が二つ以上の着色光を発生させると同時にディフューザ板２０６が該二つ以上の着色光を拡散させる（白色光又は実質的に白色の光及び着色光を提示することを含む）ように構成され得る。そのような実施形態において、複数の光源２１４の第２セット２８２はそれ自体が複数群に分けられる。同時に提示される二つの着色光が存在する実施形態において、複数の光源２１４の第２セット２８２は、第１色の光を発生させる第１群２９２と、第２色の光を発生させる第２群２９４とから成る。該ランプは、ライトボックス領域２４０の内部に配置される仕切り２９０を含む。更に詳しくは、仕切り２９０は、ドライバ絶縁体２０８とディフューザ板２０６との間に配置される。仕切り２９０は、ライトボックス領域２４０を第１領域２９６と第２領域２９８に分ける。第１領域２９６は、第１群２９２が発生させた第１色の光を分散させ、第２領域２９８は、第２群２９４が発生させた第２色の光を分散させる。従って、仕切り２９０は、光の透過を完全に遮るどのような材料からでも形成され得、あるいは、変形することなくランプ１００等のランプ内で使用可能（例えば、ランプ内で生じる熱に耐えることができる等）でかつ光の透過を完全に遮る物質でコーティングされたどのような材料からでも形成され得る。もちろん、ランプ１００内に複数の仕切りを有することが可能であり、複数の光源２１４の第２セット２８２の対応する（複数）群（すなわち（複数）サブセット）を伴う。従って、いくつかの実施形態において、ディフューザ板２０６を通じて同時に提示される三つ、四つ、五つ等の異なる色の光が存在し得る。代替的に、又は付加的に、いくつかの実施形態において、ディフューザ板２０６の周りで同時の異なる色の光の繰り返しパターンが存在し得る。着色光を発生させる光源の任意の組合せによって生じる着色光の任意の組合せが可能である。
【００１９】
いくつかの実施形態において、複数の光源２１４は、ある特定の一つ又は複数の方向に向けられる。すなわち、複数の光源２１４は、源板２１２に対する角度、及び／又は複数の光源２１４における他の光源に対する角度で狙いが付けられる。いくつかの実施形態において、複数の光源２１４におけるある光源に対する配向方向は、該（ある）光源がどの光源セット、すなわち第１セット２８０又は第２セット２８２のいずれに属するかによる。すなわち、いくつかの実施形態において、複数の光源２１４の第１セット２８０は第１方向に配向され、複数の光源２１４の第２セット２８２は第２方向に配向される。いくつかの実施形態において、例えば、複数の光源２１４の第２セット２８２が複数の光源２１４の第１セット２８０の反対方向に配向されるように、第２方向は第１方向とは１８０度異なる。例えば、源板２１２が平面形状を有し、その第１及び第２側２７０、２７２が平坦である場合、第１セット２８０は、源板２１２の第１側２７０に対して垂直に配向され得、第２セット２８２は、源板２１２の第２側２７２に対し垂直に向けられ得る。いくつかの実施形態において、複数の光源２１４の第２セット２８２は、上記第２方向からオフセットされた鋭角にて更に配向され得る。従って、例えば、そのような実施形態において、複数の光源２１４の第２セット２８２は、ドライバ絶縁体２０８に対面しているように角度付けられ得る。いくつかの実施形態において、複数の光源２１４の第２セット２８２のそのような配向は、複数の光源２１４の第２セット２８２が作り出す着色糸のより良好な拡散を与える。
【００２０】
ランプ１００内の複数の光源２１４の第１セット２８０が作り出す光（白色光もしくは実質的に白色の光及び、いくつかの実施形態において、代替的に又は付加的に一つ又は複数の着色光）は、レンズ２１８により影響を受ける。レンズ２１８は、複数の光源２１４の第１セット２８０をカプセル化し（カプセルに入れ）、複数の光源２１４の第１セット２８０により生じた光の向きを変える。レンズ２１８は、光の向きを変えることができる任意の材料、例えば限定はされないがガラス、プラスチック等から形成される。いくつかの実施形態において、レンズ２１８は、単一の部品であり、他の実施形態において、図２に示されるように、レンズ２１８は、コリメーティング（平行もしくは視準）光学部品（光学系）２２０及びディフューザ２２２から形成される。コリメーティング光学部品２２０は、複数の光源２１４の第１セット２８０が発生させる光の焦点を合わせる一つ又は複数の光学部品から形成され得る。ディフューザ２２２は、次いで、該焦点が合わされた光を所望のパターンで拡散させる。いくつかの実施形態において、ディフューザ板２０６、及びレンズ２１８のディフューザ２２２も同じ材料で形成される。
【００２１】
ランプ１００内のドライバ（駆動）電子回路（電子部品）は、ベース２０２を通じて電力を受け、該電力を使用して、第１セット２８０及び第２セット２８２の両方を含む複数の光源２１４を駆動する。そのため、ドライバ電子回路２１０は、源板２１２に接続され（即ち、電気的に接続され）、電力が源板２１２に取り付けられた複数の光源２１４に移送される。ドライバ電子回路２１０は、複数の光源２１４を駆動することができるどのようなタイプの一つ又は複数のドライバであってもよい。いくつかの実施形態において、ドライバ電子回路２１０は、複数の光源２１４の第１セット２８０を駆動する第１ドライバと、複数の光源２１４の第２セット２８２を駆動する第２ドライバとを含む。付加的に、又は代替的に、いくつかの実施形態において、ドライバ電子回路２１０は、複数の光源２１４の第２セット２８２とは異なる電圧及び電流で複数の光源２１４の第１セット２８０を駆動し得る。ドライバ電子回路２１０はドライバ絶縁体２０８により包囲され、ドライバ絶縁体２０８は、（複数の光源２１４の第２セット２８２に対する反射板としての役割を果たすのに加えて）複数の光源２１４の第２セット２８２が発生させる光及び熱からドライバ電子回路２１０を保護する。従って、ドライバ絶縁体２０８は、ベース２０２から源板２１２へと延び、いくつかの実施形態において、ドライバ電子回路２１０が源板２１２を通って延びる場合、ドライバ絶縁体２０８も源板２１２を通って延び得る。ドライバ絶縁体２０８は、どのような絶縁材料からでも形成され得る。例えば、限定はされないが、プラスチック材料等である。いくつかの実施形態において、ドライバ絶縁体２０８の外側面は、反射性材料から成り得、又は付加的にもしくは代替的に反射性材料でコーティングされ得、又は、これらの組合せであり得る。
【００２２】
ランプ１００は、複数の光源２１４が発生させる熱の放散を支援する熱良導体としての役割を果たすヒートシンク２１６を有する。ヒートシンク２１６は、複数の光源２１４及び源板２１２を取り囲み、ランプ１００の内部からの熱をランプ１００の外部へと移送する。いくつかの実施形態において、ヒートシンク２１６は、レンズ２１８をディフューザ板２０６に連結するか、又はこの連結を支援する。ヒートシンク２１６は、任意の機械的なもしくは粘着性の結合又はこれらの組合せを用いて連結され得る。ヒートシンク２１６は、任意の熱伝導性材料から形成され得る。これは、例えば、限定はされないが、金属、セラミック、熱導電性プラスチック等である。ヒートシンク２１６は、どのようなた形状及び大きさであってもよく、いくつかの実施形態において、多量の熱エネルギーの放散を支援するため、フィン、隆起部、及び／又は、その外側面領域の他の拡張部を含む。更に、いくつかの実施形態において、ヒートシンク２１６上のあるパターンは、止め輪２０４上のパターンンと整合し得る。いくつかの実施形態において、ヒートシンク２１６及び源板２１２は、複数の光源２１４の第２セット２８２が発生させる光が、複数の光源２１４の第１セット２８０が発生させる光と混合することを防ぐ。
【００２３】
いくつかの実施形態において、ランプ１００は、スイッチ機構（構成要素２５０として図２に示され、止め輪２０４に取り付けられる）を含み得る。スイッチ機構２５０は、ドライバ電子回路２１０を介してベース２０２から複数の光源２１４へと、及び／又は複数の光源２１４のサブセットへと電力が供給されることを可能にする。例えば、スイッチ機構２５０は、次の三つの段階を繰り返すように構成され得る。すなわち、複数の光源２１４全体への電力供給と複数の光源２１４の第１セット２８０のみへの電力供給と、複数の光源２１４の第２セット２８２のみへの電力供給である。そのため、スイッチ機構２５０は、ドライバ電子回路２１０とインターフェースし、複数の光源２１４のうちのいずれが電力を受けるかを制御し、次いで、ランプ１００に対する操作の異なるモードを可能にする。スイッチ機構２５０は、電力が、複数の光源２１４の任意のセット及び／又はサブセットに供給されるように構成され得、これは、多くの組合せが可能であるようになされる（すなわち、複数の光源２１４の第１セット２８０の一部（例えば半分）にのみと、複数の光源２１４の第２セット２８２全体とに電力を供給する等）。
【００２４】
他の言い方で述べられない限り、用語「実質的」の使用は、当業者に理解されるように、正確な関係、条件、配列、配向及び／又は他の特徴、及びこれらの偏差を、このような偏差が開示した方法及びシステムに著しく影響を与えない範囲で、含むように解釈され得る。
【００２５】
本開示全体にわたり、名詞を修飾する冠詞「a」もしくは「an」の使用は、他の言い方で特に述べられない限り、便宜的なもので、一つ又は二つ以上の該修飾された名詞を含むように用いられることが理解され得る。
【００２６】
他のものに連通、関連するように及び／又は他のものをベースにして記述されるか及び／又は他の方法で図面に描かれる構成要素、構成部品、モジュール、及び／又はこれらの部分は、別の態様でここに明記されない限り、直接的な及び／又は間接的な態様で、そのように連通、関連及びベースとすることが理解され得る。
【００２７】
本発明の特定の実施形態に関連して方法及びシステムが記述されたが、これらはそれに限定されない。当然に、上記教示に照らして多くの変更及び変形が明らかに理解され得る。ここに記述及び図示した部品（もしくは部分）の細部、材料及び配置構成において多くの追加的変更が当業者によりなされ得る。
【符号の説明】
【００２８】
１００  ランプ
１０２  底部
１０４  側部
２０２  ベース
２０６  ディフューザ板
２０８  ドライバ絶縁体
２１０  ドライバ電子回路
２１２  源板
２１４  複数の光源
２１６  ヒートシンク
２１８  レンズ
２２０  コリメーティング光学部品
２２２  ディフューザ
２４０  ライトボックス領域
２５０  スイッチ機構
２７０  第１側
２７２  第２側
２８０  第１セット
２８２  第２セット
２９０  仕切り
２９６  第１領域
２９８  第２領域
【図１】
0005450647.tif 000002
【図２】
0005450647.tif 000003